(57)【要約】 【課題】二重昇降カーテン装置における前後の昇降コードの互いの絡みつきを、カーテン装置の体裁を損なうことなく防止する。【解決手段】支持バー５の前後に、前後のカーテン９，１０の上縁部分２，３を取着する。前後のカーテン９，１０の夫々を、昇降コード１９，２０の昇降操作によって引き上げ可能とする。前のカーテン９に取り付けられた昇降コード１９の複数本を、前のカーテン９の側縁４０から稍内方に位置させて前のカーテン９の上端側に設けられた挿通部３９に、その後側から前側に向けて挿通させ、前のカーテンの前面５３側で垂れた状態とする。【選択図】図１
2007185219.tif 000002
【特許請求の範囲】
【請求項１】
上縁部分が支持バーに取着されて前後対向する前のカーテンと後のカーテンを具えると共に、前記支持バーの一方の端部側で、前記前のカーテンに係る前のロック具と前記後のカーテンに係る後のロック具が設けられ、該前のカーテンと後のカーテンの夫々を、昇降コードの昇降操作によってひだ状折り返し部が積み重なる状態で引き上げ可能となされ、
前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされており、又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されており、
又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とする二重昇降カーテン装置。
【請求項２】
上縁部分が支持バーに取着されて前後対向する前のカーテンと後のカーテンを具えると共に、前記支持バーの一方の端部側の前後に位置をずらして前後のロック具が設けられ、該前のカーテンと後のカーテンの夫々を、昇降コードの昇降操作によってひだ状折り返し部が積み重なる状態で引き上げ可能となされ、
前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされており、又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されており、
又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とする二重昇降カーテン装置。
【請求項３】
上縁部分が支持バーに取着されて前後対向する前のカーテンと後のカーテンを具えると共に、前記支持バーの一方の端部側の左右に位置をずらして前後のロック具が設けられ、該前のカーテンと後のカーテンの夫々を、昇降コードの昇降操作によってひだ状折り返し部が積み重なる状態で引き上げ可能となされ、
前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされており、又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されており、
又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とする二重昇降カーテン装置。
【請求項４】
上縁部分が支持バーに取着されて前後対向する前のカーテンと後のカーテンを具えると共に、前記支持バーの一方の端部側の前後且つ左右に位置をずらして前後のロック具が設けられ、該前のカーテンと後のカーテンの夫々を、昇降コードの昇降操作によってひだ状折り返し部が積み重なる状態で引き上げ可能となされ、
前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされており、又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されており、
又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とする二重昇降カーテン装置。
【請求項５】
上縁部分が支持バーに取着されて前後対向する前のカーテンと後のカーテンを具えると共に、前記支持バーの一方の端部側の上下に位置をずらして前後のロック具が設けられ、該前のカーテンと後のカーテンの夫々を、昇降コードの昇降操作によってひだ状折り返し部が積み重なる状態で引き上げ可能となされ、
前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされており、又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されており、
又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とする二重昇降カーテン装置。
【請求項６】
前記挿通部に挿通せしめられて前記前のカーテンの前面側で垂れた状態の昇降コードの下端に、摘み片を介して操作コードが接続されており、該操作コードの下端が、前記挿通部の略真下で、前記前のカーテンの下縁部に取り付けられていることを特徴とする請求項１〜５のいずれかに記載の二重昇降カーテン装置。
【請求項７】
前記挿通部は、最上段のひだ状折り返し部の前の折り返し面部の、該ひだ状折り返し部の下端よりも上側に位置させて設けられていることを特徴とする請求項１〜５のいずれかに記載の二重昇降カーテン装置。
【請求項８】
前記挿通部は鳩目であることを特徴とする請求項１〜５のいずれかに記載の二重昇降カーテン装置。
【請求項９】
前記挿通部は、前のカーテンの上縁部分に設けられた上端開放の欠切部を以って形成されると共に、該欠切部の両側が前記支持バーに固定されており、又、前記前のロック具を通った昇降コードが、前記欠切部が存する部分において前記前のロック具から導出され、該挿通部に挿通せしめられていることを特徴とする請求項１〜５のいずれかに記載の二重昇降カーテン装置。
【請求項１０】
前記挿通部は、前のカーテンの上縁部分に設けられた上端開放の欠切部を以って形成されると共に、該欠切部の両側が前記支持バーに固定されており、又、前記前のロック具を通った昇降コードが、前記支持バーの下縁の下側に形成された開口部分としての前記挿通部に、前記前のカーテンの後側から前側に向けて挿通せしめられていることを特徴とする請求項１〜５のいずれかに記載の二重昇降カーテン装置。
【請求項１１】
前記欠切部を前側から覆い隠すカバー片が、前記前のカーテンの上縁部分又は前記支持バーに固定されていることを特徴とする請求項９又は１０記載の二重昇降カーテン装置。
【発明の詳細な説明】
【技術分野】
【０００１】
本発明は、二重昇降カーテン装置に関するものであり、より詳しくは、上縁部分が支持バーに取着されて前後対向する前のカーテンと後のカーテンの上昇と下降を昇降コードの昇降操作によって行うように構成された二重昇降カーテン装置に関するものである。
【背景技術】
【０００２】
窓部の上縁に沿って配設された直棒状の支持バーの前後に前のカーテンと後のカーテンを配置し、夫々のカーテンの上縁部分を該支持バーに取着し、該前後のカーテンの昇降を、夫々のカーテンに対応して取り付けた昇降コードを個別に操作して行うように構成された二重昇降カーテン装置は、２台の昇降カーテン装置を前後に配設するよりも安価で、然も全体をコンパクトに構成できるために人気が高い。
【０００３】
該二重昇降カーテン装置Ａの一例は、図２７に示すように、前のカーテンａに対応して設けた前のロック具ｂと、後のカーテンｃに対応して設けた後のロック具ｄを、支持バーｅの一方の端部側の前後に位置をずらして設ける一方、該前のカーテンａの後面側にその幅方向で所要間隔を置いて取り付けた昇降コードｆの複数本をまとめて前記前のロック具ｂに通し、該ロック具ｂを通った昇降コードｆの束ｆ１を下方向に引くことによって、該前のカーテンａが引き上げられる如くなし、所要の引き上げ状態で昇降コードｆをロックすることにより、前のカーテンａの所要の引き上げ状態が保持されるように構成されていた。同様にして、後のカーテンｃに取り付けた昇降コードｈの複数本をまとめて前記後のロック具ｄに通し、該ロック具ｄを通った昇降コードｈの束ｈ１を下方向に引くことによって後のカーテンｃを引き上げ可能となし、所要の引き上げ状態で昇降コードｈをロックすることにより、後のカーテンｃの所要の引き上げ状態が保持されるように構成されていた。
【０００４】
前記ロック具ｂ，ｄについて説明を補足すれば、該ロック具ｂ，ｄは同様の構成を有し、図２８に示すように、昇降コードｆ，ｈを挿通させるためのコードガイド部ｋが、左右方向のラック状歯ｍを下に突の内面に有した下片ｎと、該下片ｎに対向する上片ｐに回動自在に取り付けられたローラｑとの間で形成されており、且つピニオン状のロックローラｒが、前記ラック状歯ｍに噛合して左右動可能に前記下片ｎに設けられていた。そして、全ての昇降コードを前記コードガイド部ｋに挿通せしめ、これを同図に示すように、前記ロックローラｒの周面ｓに接触させて横方向に挿通状態とする。そして、このように挿通された昇降コードｆ又は昇降コードｈは、該ロックローラｒが前記下片ｎの左側の坂状部分ｔを噛合状態で登るように移動することにより、図２８の実線で示すように、該ロックローラｒと前記ローラｑとの間で挟まれてロックされるように構成されていた。
【０００５】
しかしながら前記構成の二重昇降カーテン装置Ａによるときには、前のカーテンａに設けられている複数本の昇降コードｆと、後のカーテンｃに設けられている複数本の昇降コードｈが、近接状態で垂れ下がった状態にあるために、該前後の昇降コードｆ，ｈが互いに絡まりやすく、カーテンの昇降操作を的確に行い難い問題があった。
【０００６】
なお、このような昇降コードの絡みを防止するために、図２９に示すように、前のカーテンａに対応させて設けた前のロック具ｂと、後のカーテンｃに対応させて設けた後のロック具ｄを、前記支持バーｅの両端側に固定すると共に、該前のカーテンａの後面側にその幅方向で所要間隔を置いて垂れた状態で取り付けた昇降コードｆの複数本をまとめて前のロック具ｂに通し、該前のロック具ｂを通った昇降コードｆの束ｆ１を下方向に引くことによって、該前のカーテンａが引き上げられる如くなし、所要の引き上げ状態で昇降コードｆをロックすることにより、該前のカーテンａの所要の引き上げ状態が保持されるように構成する一方、同様にして、後のカーテンｃの後面側にその幅方向で所要間隔を置いて垂れた状態で取り付けた昇降コードｈの複数本をまとめて前記後のロック具ｄに通し、該後のロック具ｄを通った昇降コードｈの束ｈ１を下方に引くことによって、該後のカーテンｃが引き上げられる如くなし、所要の引き上げ状態で昇降コードｈをロックすることにより、該後のカーテンｃの所要の引き上げ状態が保持されるように構成することも考えられる。
【０００７】
しかしながらこのように構成した場合は、前後のカーテンａ，ｃの昇降操作を支持バーｅの片側では行うことができないため、一方のカーテンを支持バーの一端側で昇降操作した後に他方のカーテンを昇降操作するには、操作する人が支持バーの他端側に移動しなければならない面倒さがあった。特に、支持バーの一方の端部側にタンス等の物が設置されている場合は、設置物に邪魔されて、昇降コードを操作しにくく、乃至、昇降コードを操作できない問題も発生した。
【０００８】
又、前記のような昇降コードの絡みを防止する二重昇降カーテン装置として、特開２００３−９３２２１号公報が開示するものが提案されている。該二重昇降カーテン装置は、前のカーテンに対応させて設けた前のロック具を支持バーの一方の端部側に設けると共に、後のカーテンに対応させて設けた後のロック具を、該前のロック具から支持バーの長さ方向に所要間隔を隔てて設け、該前のロック具を通って垂れた状態にある昇降コードと、後のロック具を通って垂れた状態にある昇降コードの絡みを防止するように構成されていた。
【０００９】
しかしながら、かかる二重昇降カーテン装置によるときは、前後のロック具を、少なくとも２０ｃｍ程度離さなければ前後のロック具に係る昇降コードの絡みを確実には防止できないと考えられる。その結果、支持バーの内方に所要間隔を隔てて設けられた後のロック具を通って垂れた状態にある昇降コードは、後のカーテンの側縁から２０ｃｍ程度も内方に入り込んだ位置で垂れた状態になるため、前のカーテンを引き上げたときに、後のカーテンに係る昇降コードが該後のカーテンの前面側で非常に目立つ状態に垂れた状態となることから、この昇降コードがカーテンの見栄えを著しく損なう問題があった。
【００１０】
又、このように後のカーテンに係る後のロック具を支持バーの一端部から内方に退いた状態とするため、後のロック具に係る昇降コードを、前記特許文献に係る明細書の段落００２９に記載されているように、支持バーに回転可能に支持された案内ローラを介して該後のロック具にまで案内する必要があった。かかることから、後のカーテンに係る昇降コードを後のロック具に通すための構造が複雑化する問題があった。もしも、このような案内ローラによる昇降コードの案内構造を避けようとするならば、後のカーテンの側縁と後のロック具との間には、該後のカーテンを昇降操作するための昇降コードを配置できないことになってしまう。その結果、昇降コードを昇降操作した際に、後のカーテンの側部分と後のロック具との間の部分に弛みを生じさせる等して該後のカーテンを、ひだ状折り返し部を正しく形成してバランスよく引き上げることができなくなり、該後のカーテンの引き上げ状態の美観を損なう問題が生じてしまう。従って前記のように、後のカーテンに係る昇降コードを、案内ローラを介して後のロック具にまで案内せざるを得なかったのである。
【００１１】
【特許文献１】特開２００３−９３２２１号公報（４頁、図１，図４）
【発明の開示】
【発明が解決しようとする課題】
【００１２】
本発明は、かかる従来の二重昇降カーテン装置の問題点に鑑み、前後のカーテンを支持バーの片側で昇降操作し得る二重昇降カーテン装置の操作性を重視して、前後のカーテンを昇降操作する前後のロック具が支持バーの一方の端部側に設けられた二重昇降カーテン装置を対象に開発されたものである。そして、その課題とするところは、該二重昇降カーテン装置における前記昇降コードの互いの絡みつきを、カーテン装置の体裁を損なうことなく、然も構造簡素に防止することにある。
【課題を解決するための手段】
【００１３】
前記課題を解決するため、本発明は以下の如き手段を採用する。
即ち本発明に係る二重昇降カーテン装置は、上縁部分が支持バーに取着されて前後対向する前のカーテンと後のカーテンを具えると共に、前記支持バーの一方の端部側で、前記前のカーテンに係る前のロック具と前記後のカーテンに係る後のロック具が設けられ、該前のカーテンと後のカーテンの夫々を、昇降コードの昇降操作によってひだ状折り返し部が積み重なる状態で引き上げ可能となされている。そして前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされている。又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されている。又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とするものである。
【００１４】
又本発明に係る二重昇降カーテン装置のより具体的な態様は、上縁部分が支持バーに取着されて前後対向する前のカーテンと後のカーテンを具えると共に、前記支持バーの一方の端部側の前後に位置をずらして前後のロック具が設けられ、該前のカーテンと後のカーテンの夫々を、昇降コードの昇降操作によってひだ状折り返し部が積み重なる状態で引き上げ可能となされている。そして前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされている。又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されている。又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とするものである。
【００１５】
又本発明に係る二重昇降カーテン装置のより具体的な他の態様は、上縁部分が支持バーに取着されて前後対向する前のカーテンと後のカーテンを具えると共に、前記支持バーの一方の端部側の左右に位置をずらして前後のロック具が設けられ、該前のカーテンと後のカーテンの夫々を、昇降コードの昇降操作によってひだ状折り返し部が積み重なる状態で引き上げ可能となされている。そして前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされている。又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、前記前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されている。又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とするものである。
【００１６】
又本発明に係る二重昇降カーテン装置のより具体的なその他の態様は、上縁部分が支持バーに取着されて前後対向する前のカーテンと後のカーテンを具えると共に、前記支持バーの一方の端部側の前後且つ左右に位置をずらして前後のロック具が設けられ、該前のカーテンと後のカーテンの夫々を、昇降コードの昇降操作によってひだ状折り返し部が積み重なる状態で引き上げ可能となされている。そして前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされている。又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該ロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されている。又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とするものである。
【００１７】
又本発明に係る二重昇降カーテン装置のより具体的なその他の態様は、上縁部分が支持バーに取着されて前後対向する前のカーテンと後のカーテンを具えると共に、前記支持バーの一方の端部側の上下に位置をずらして前後のロック具が設けられ、該前のカーテンと後のカーテンの夫々を、昇降コードの昇降操作によってひだ状折り返し部が積み重なる状態で引き上げ可能となされている。そして前記昇降コードは、前記前のカーテン及び後のカーテンの夫々に関し、該カーテンの後面側で、その幅方向の少なくとも両側において、カーテンの後面に上下所要間隔で設けられたコード挿通部に上下方向で挿通せしめられ、その下端側が該カーテンの上下方向の所要部位に固定状態とされている。又、前記前のカーテンに関し、前記昇降コードの複数本をまとめて前記前のロック具に通し、該前のロック具を通った昇降コードを下方向に引くことによって該前のカーテンが引き上げられる如くなされ、所要の引き上げ状態で昇降コードをロックすることにより、該前のカーテンの所要の引き上げ状態が保持されるようになされる一方、前記後のカーテンに関し、前記昇降コードの複数本をまとめて前記後のロック具に通し、該後のロック具を通った昇降コードを下方向に引くことによって該後のカーテンが引き上げられる如くなされ、所要の引き上げ状態で昇降コードをロックすることにより、該後のカーテンの所要の引き上げ状態が保持されるように構成されている。又、前記前のカーテンに取り付けられた前記昇降コードが、前記前のカーテンの側縁から稍内方に位置させて該前のカーテンの上端側に設けられた挿通部に、該前のカーテンの後側から前側に向けて挿通せしめられ、該前のカーテンの前面側で垂れた状態とされていることを特徴とするものである。
【００１８】
前記各二重昇降カーテン装置において、前記挿通部に挿通せしめられて前記前のカーテンの前面側で垂れた状態の昇降コードの下端に、摘み片を介して操作コードを接続し、該操作コードの下端を、前記挿通部の略真下で、前記前のカーテンの下縁部に取り付けるのがよい。
【００１９】
又前記各二重昇降カーテン装置において、前記挿通部を、最上段のひだ状折り返し部の前の折り返し面部の、該ひだ状折り返し部の下端よりも上側に位置させて設けるのがよい。
【００２０】
又前記各二重昇降カーテン装置において、前記挿通部を鳩目を以って構成するのがよい。
【００２１】
又前記各二重昇降カーテン装置は、前記挿通部を、前のカーテンの上縁部分に設けられた上端開放の欠切部を以って形成することがある。この場合、該欠切部の両側が前記支持バーに固定されたものとし、前記前のロック具を通った昇降コードが、前記欠切部が存する部分において前記前のロック具から導出され、該挿通部に挿通せしめられたものとして構成するのがよい。或いは、該欠切部の両側が前記支持バーに固定されたものとし、前記前のロック具を通った昇降コードが、前記支持バーの下縁の下側に形成された開口部分としての前記挿通部に、前記前のカーテンの後側から前側に向けて挿通せしめられたものとして構成するのがよい。そして，これらの場合、前記欠切部を前側から覆い隠すカバー片を、前記前のカーテンの上縁部分又は前記支持バーに固定するのがよい。
【発明の効果】
【００２２】
本発明は以下の如き優れた効果を奏する。
(1) 発明に係る二重昇降カーテン装置によるときは、支持バーの一方の端部側で前後のロック具が設けられるため、前後のカーテンを支持バーの片側で操作できる利点があるのはもとより、前後の昇降コードが前のカーテンによって前後に分離される。従って、前後のカーテンの間に前後の昇降コードが共に垂れた状態となる前記従来の二重昇降カーテン装置とは異なり、前後の昇降コードが互いに絡み合うのを防止でき、前後のカーテンの昇降操作を確実に行うことができる。
【００２３】
(2) 又、前の昇降コードを、前のカーテンに設けた挿通部を通して該前のカーテンの前面側で垂らすことによって前後の昇降コードを該前のカーテンで分離する構成を採用するため、前後のカーテンの間で左右に位置をずらして前後の昇降コードの絡みを防止する前記従来の二重昇降カーテン装置における場合とは異なり、前の昇降コードを、前のカーテンの側縁に近接した状態で該前のカーテンの前面側で垂らすことができる。従って、前の昇降コードが前のカ一テンの前側で垂れた状態になるにしても、カーテンの外観を不自然なものとする恐れがない。
又、このように前のカーテンの側縁に近接して前の昇降コードが垂れた状態になることから、前記従来の二重昇降カーテン装置におけるような、案内ローラを介して昇降コードを該内側に位置するロック具に案内しなければならないといった構造上の複雑さがなく、前後の昇降コードが絡みにくい二重昇降カーテン装置を構造簡素に構成できる。
【００２４】
(3) 前のカーテンに設けられた挿通部に挿通されて該前のカーテンの前面側で垂れた昇降コードの下端に、摘み片を介して操作コードを接続し、該操作コードの下端を、前記挿通部の略真下で、該前のカーテンの下縁部に取り付ける構成を採用した場合は、前のカーテンの前面側で垂れた前の昇降コードが上下全長に亘ってカーテンの側縁から一定距離を隔てることになるため、前のカーテンを引き上げた状態においても前後の昇降コードが接近しない利点がある。
【００２５】
(4) 前のカーテンに設ける挿通部を、ひだ状折り返し部の前の折り返し面部の、該ひだ状折り返し部の下端よりも上側に位置させて設けるときは、該挿通部の上側ではひだ状折り返し部が形成されることがないため、昇降コードが挿通部を通ることに伴う摩擦抵抗によってひだ状折り返し部の形成が阻害される恐れが全くなく、全てのひだ状折り返し部を正しく形成できることとなる。
【実施例１】
【００２６】
図１〜５において本発明に係る二重昇降カーテン装置（以下カーテン装置という）１は、上縁部分２，３が支持バー５の前後の面部６，７に取着されて前後対向する前のカーテン９と後のカーテン１０を具え、該支持バー５の一方の端部側８の前後に位置をずらして前のロック具１１と後のロック具１２が設けられている。そして、該前後のカーテン９，１０の上昇と下降を、夫々のカーテン９，１０の幅方向の、例えば両側と中央部に対応させて上下方向で配設した、前後の昇降コード１９，２０の昇降操作によって行うようになされ、該昇降操作によって、図５に示すように、ひだ状折り返し部１３を形成してカーテン９，１０を引き上げ可能となされている。
【００２７】
前記支持バー５は、本実施例においては図１〜４に示すようにボックス型の直棒状を呈し、例えば建物の窓開口部の上縁４（図４）と平行に延長する如く配置され、ブラケット１５を介して該上縁４に固定可能となされている。そして図３に示すように、前記前後の面部６，７には、前記前後のカーテン９，１０の上縁部分２，３を着脱可能に固定するための面状ファスナ１６，１７が固定されており、該支持バー５の一方の端部側８に前後に位置をずらして、前記のようにロック具１１，１２が設けられている。
【００２８】
該前後のロック具１１，１２は同様構成を有している。前のロック具１１に代表させて説明すれば、図６に示すように、前の昇降コード１９を挿通させるためのコードガイド部２１が、左右方向のラック状歯２３を下に突の内面に有した下片２５と、該下片２５に対向する上片２６に回動自在に取り付けられたローラ２７との間で形成されており、且つピニオン状のロックローラ２９が、前記ラック状歯２３に噛合して左右動可能に前記下片２５に設けられている。そして、昇降コード１９の全てを前記コードガイド部２１に挿通せしめ、これを同図に示すように、前記ロックローラ２９の周面３０に接触させて横方向に挿通状態とする。そして、このように挿通された昇降コード１９は、該ロックローラ２９が、前記下片２５の左側の坂状部分３１を噛合状態で登るように移動することにより、図６の実線で示すように、該ロックローラ２９と前記ローラ２７との間で挟まれてロックされるように構成されている。
【００２９】
前記前のカーテン９は、図１に示すように、室内側に配置され、例えば、全体が暗幕生地やプリント生地を用いたシート状を呈する遮光性カーテンとして形成されている。そして、下端に設けた袋状収容部３２にウエイトバー３３が収容されると共に、上縁部分２の後面には、図３に示すように、前記面状ファスナ１６と着脱可能に係合し得る面状ファスナ３５が取り付けられている。又、該前のカーテン９の、前記前のロック具１１が存する側のカーテン側部３６の上端側に、図４、図７〜８に示すように、ハトメ３７を用いて挿通部３９が形成されている。該挿通部３９の内径は、例えば５ｍｍ程度に設定されると共に、その配置状態は、挿通部３９の中心が、カーテンの側縁４０から内方に１００〜１０ｍｍ入って位置し、好ましくは５０〜１０ｍｍ入って位置する。本実施例においては図７に示すように、２０ｍｍ程度入って位置し、且つ、前記支持バー５の下面４１から４０ｍｍ程度下側に位置するように設定されている。その結果、該挿通部３９は、図９に示すように、最上段のひだ状折り返し部１３ａの前の折り返し面部４３の、該ひだ状折り返し部１３ａの下端４５よりも上側に位置することとなる。本実施例においては、最上段のひだ状折り返し部１３ａの上端４４よりも上側に位置する。
【００３０】
そして、前記前のカーテン９の後面４６には、例えば図１０〜１１に示すように、該後面４６側の幅方向の両側と中央部で、コード挿通部４７が上下方向に所要間隔で並設されて３列のコード挿通部列４９，４９，４９が形成されており、最下端に位置するコード挿通部４７ａの稍下側に位置させてコード取付部５０が設けられている。
【００３１】
夫々のコード挿通部列４９，４９，４９には、前記前の昇降コード１９が、該コード挿通部列４９に上下方向で順次挿通せしめられ、その下端部５１が、図１１に示すように前記コード取付部５０に固定状態とされている。該３本の昇降コード１９，１９，１９は前記前のロック具１１に通され、該ロック具１１を通った昇降コード１９，１９，１９は、図７に示すように、内側に向けて斜め下方に屈曲されると共に該昇降コード１９の束５２が、前記挿通部３９に、前のカーテン９の後側から前側に向けて挿通され、前のカーテン９の前面５３側で垂れた状態とされる。そして図３に示すように、該垂れた状態の昇降コード１９，１９，１９の束５２の下端に、摘み片５６を介して１本の操作コード５７が接続されており、該操作コード５７の下端５９が、前記挿通部３９の略真下で、図２、図１１に示すように、前記前のカーテン９の下縁部６０に取り付けられている。本実施例においては、前記袋状収容部３２の後面部６１としての下縁部６０に取り付けられている。そして、該前のカーテン９の前面５３側で垂れた状態にある昇降コードの束５２を前記摘み片５６を介して下方に引くことによって、該前のカーテン９が引き上げられる如くなし、所要の引き上げ状態で昇降コード１９をロック具１１でロックすることにより、図５に示すように該前のカーテン９の所要の引き上げ状態が保持されるように構成されている。
【００３２】
又前記後のカーテン１０は、図２、図１２に示すように、窓側に配置され、例えば、全体がシート状を呈する透光性カーテンとして形成されており、前記前のカーテン９と同様にして、下端に設けた袋状収容部６２にウエイトバー６３が収容されると共に、上縁部分３の前面には、図３に示すように、前記面状ファスナ１７と着脱可能に係合し得る面状ファスナ６５が取り付けられている。
【００３３】
そして、前記後のカーテン１０の後の面部６６には、例えば図２、図１２に示すように、該後面６６側の幅方向の両側と中央部で、コード挿通部６７が上下方向に所要間隔で並設されて３列のコード挿通部列６９，６９，６９が形成されており、最下端に位置するコード挿通部６７ａの稍下側に位置させてコード取付部７０が設けられている。夫々のコード挿通部列６９，６９，６９には、後の昇降コード２０が、該コード挿通部列６９に上下方向で順次挿通せしめられ、その下端部７１が、図２に示すように前記コード取付部７０に固定状態とされている。該３本の後の昇降コード２０，２０，２０は、図２〜３に示すように、ガイド孔６４をその後側から前側に向けて挿通されて前記後のロック具１２に通され、図２〜３、図１２に示すように、該ロック具１２を通過した昇降コード２０，２０，２０の束６８の下端に、摘み片７２を介して１本の操作コード７３が接続されており、該操作コード７３の下端７４が、前記袋状収容部６２の一端部７５に取り付けられている。そして、該昇降コードの束６８を前記摘み片７２を介して下方に引くことによって、該後のカーテン１０が引き上げられる如くなし、所要の引き上げ状態で昇降コード２０をロック具１２でロックすることにより、図５に示すように、該後のカーテン１０の所要の引き上げ状態が保持されるように構成されている。
【００３４】
前記のように、前のカーテン９に関係して設けられた前記前の昇降コード１９，１９，１９を、前のカーテン９の上端側に設けられた前記挿通部３９に挿通させて該前のカーテン９の前面５３側で垂れた状態にしていることから、前のカーテン９に関係する前の昇降コード１９と後のカーテン１０に関係する後の昇降コード２０とが、図１、図３に示すように、該前のカーテン９によって前後に完全に分離された状態となり、従って、前後のカーテン９，１０に関係した昇降コード１９，２０が互いに絡まるのが防止される。
【００３５】
然して、かかる構成の二重昇降カーテン装置１によるときは、前のカーテン９に関係した昇降コード１９と、後のカーテン１０に関係した昇降コード２０とが明確に区別できることから、前のカーテン９を昇降させる際に、その昇降コード１９のみを確実に昇降操作できる。又、後のカーテン１０を昇降させる際も、該後のカーテン１０に関係した昇降コード２０を確実に昇降操作できる。
【００３６】
特に本実施例においては、前記前のカーテン９に係る操作コード１９が、前記挿通部３９の略真下で、該前のカーテン９の下縁部６０に取り付けられているため、前のカーテン９をある程度引き上げた状態で、後のカーテン１０に係る昇降コード２０を引き上げ操作する際、前のカーテン９に係る昇降コード１９がその下端側においても前のカーテン９の前記側縁４０の内方に位置するために、前のカーテン９の前面５３側で垂れた前の昇降コード１９が上下全長に亘ってカーテンの側縁４０から一定距離を隔てることになり、前のカーテン９を引き上げた状態においても前後の昇降コード１９，２０が接近しない利点がある。
【００３７】
そして本実施例においては、前記挿通部３９が、前のカーテン９の最上段のひだ状折り返し部４２の前の折り返し面部４３の、該ひだ状折り返し部４２の下端４５よりも上側に位置させて設けられている。かかることから、該挿通部３９の上側では、ひだ状折り返し部４２が形成されることがない。従って、該挿通部３９の周縁部７７（図９（Ｂ））と前記昇降コード１９との間の摩擦抵抗によって前のカーテン９のひだ状の折り返しの形成が阻害される恐れがない。これにより、形の整ったひだ状折り返し部４２を前のカーテン９の上下全長に亘って形成できることとなる。
【００３８】
もしも、該挿通部３９を前記最上段のひだ状折り返し部１３ａの下端４５よりも下側に設けたときは、該挿通部３９の周縁部７７と前記昇降コード１９との間の摩擦抵抗が一定以上に大きくて、該昇降コード１９に対する挿通部３９の相対的な移動が円滑でないと、図１３（Ａ）に符号７８で示すように、該挿通部３９の上側においてひだ状折り返しが円滑に行われなくなる場合が生じて好ましくない。この点、前記のように、挿通部３９を、ひだ状折り返し部４２の前の折り返し面部４３の、該ひだ状折り返し部４２の下端４５の上側に位置させて設けることとすれば、該挿通部３９の上側ではひだ状折り返し部が形成されることがないため、昇降コード１９が挿通部３９を通過することに伴う摩擦抵抗によってひだ状折り返し部の形成が阻害されることがない利点があるのである。
【実施例２】
【００３９】
図１４〜１５は、本発明に係る二重昇降カーテン装置１の他の実施例を示すものであり、前のカーテン９に取り付けられた前の昇降コード１９を挿通させる前記挿通部３９が、前のカーテン９の上縁部分２を欠切して形成した上端開放の欠切部７９を以って構成されている。該欠切部７９を有する前のカーテン９は、図１５に示すように、上縁部分２の後面に、該欠切部７９を除いて面状ファスナ３５が取り付けられており、該面状ファスナ３５を、前記支持バー５の前の面部に固定されている面状ファスナ１６に係合させることにより、該上縁部分２が支持バー５に固定されている。そしてこの固定状態で、前記欠切部７９の下端７９ａが、該支持バー５の下端８０に存し、乃至、該下端８０の稍上側に存する。そして本実施例においては、前のカーテン９に係る前のロック具１１と後のカーテン１０に係る後のロック具１２は、図１５（Ｂ）に示すように、該支持バー５の一方の端部側８の前後且つ左右に位置をずらして設けられており、後のロック具１２は該支持バー５の該端部側８の外端に配設されると共に、前のロック具１１は、それよりも稍内方に配設されている。
【００４０】
又、前のロック具１１を通った昇降コード１９が、前記支持バー５の前の面部に設けた引出し孔８６から前方に引き出されており、該引き出された昇降コード１９を、前記挿通部３９に、前記前のカーテン９の後側から前側に向けて挿通させ、前のカーテン９の前面５３側で該昇降コード１９を垂らしている。
【００４１】
このように構成する場合、カーテンの美観を損なわないようにするため、図１４、図１５（Ｂ）に示すように、前記欠切部７９を前側から覆い隠すことのできる上下幅を有したカバー片８１の上縁部分８２を、前記前のカーテン９の上縁部分２に、又は前記支持バー５に固定するのがよい。
【００４２】
なお、このように挿通部３９を欠切部７９を以て構成する場合、前のロック具１１を前記支持バー５の前記端部側８の外端に配設してもよい。このように構成する場合は、該欠切部７９の内周縁を補強するのがよい。
【００４３】
図１６〜１７は、上端開放の欠切部７９を以て挿通部３９を構成する二重昇降カーテン装置１のその他の実施例を示すものであり、前記欠切部７９の下端７９ａが、前記支持バー５の下縁８０よりも下側に存し、該支持バー５の下縁の下側に形成された開口部分を以って、前のカーテン９の後側から前側に向けて前の昇降コード１９を挿通させるための挿通部３９が形成されている。本実施例においても、前のカーテン９に係る前のロック具１１と後のカーテン１０に係る後のロック具１２は、図１７（Ｂ）に示すように、該支持バー５の一方の端部側８の前後且つ左右に位置をずらして設けられている。そして、前のロック具１１を通った昇降コード１９が、該挿通部３９に、その後側から前側に向けて挿通され、前のカーテン９の前面５３側で該昇降コード１９が垂らされている。
【実施例３】
【００４４】
本発明は、前記実施例で示したものに限定されるものでは決してなく、「特許請求の範囲」の記載内で種々の設計変更が可能であることはいうまでもない。その一例を挙げれば次のようである。
【００４５】
(1) 図１８〜１９は、前のカーテン９に係る前のロック具１１と後のカーテン１０に係る後のロック具１２を支持バー５の一方の端部側８の前後且つ左右に位置をずらして設けた二重昇降カーテン装置１のその他の実施例を示すものであり、前のカーテン９に設けられた挿通部３９は、前記と同様にしてハトメ３７を用いて構成されている。
【００４６】
(2) 図２０〜２１は、前のカーテン９に係る前のロック具１１と後のカーテン１０に係る後のロック具１２が、該支持バー５の一方の端部側８の左右に位置をずらして設けられている。この場合、該前のロック具１１に通される前の昇降コード１９の複数本と、該後のロック具１２に通される後の昇降コード２０の複数本は、図２１に示すように、上下２段で、支持バー５の長さ方向に略水平に延長した状態となされている。そして、複数本の前の昇降コード１９がまとまった状態で前のロック具１１の縦方向のコードガイド部２１ａに挿通されると共に、複数本の後の昇降コード２０がまとまった状態で後のロック具１２の縦方向のコードガイド部２１ｂに挿通されている。そして、該前の昇降コード１９が、前記前のカーテン９の上端側に設けられた、例えばハトメ３７を用いて構成された挿通部３９に、該前のカーテン９の後側から前側に向けて挿通せしめられ、該前のカーテン９の前面５３側で垂れた状態とされている。そして、該垂れた状態の昇降コード１９の下端に、摘み片５６を介して操作コード５７が接続されており、該操作コード５７の下端が、前記と同様にして、前記挿通部３９の略真下で、前記前のカーテン９の下縁部６０に取り付けられている。なお前記前後のロック具１１，１２は、図２０〜２１においては左右に一体化して設けられているが、両者が別体に形成され、相互を当接状態にして左右に設けられたり、或いは、相互間に稍間隔を隔てて左右に位置をずらして設けられることもある。
【００４７】
(3) 図２２〜２３は、前のカーテン９に係る前のロック具１１と後のカーテン１０に係る後のロック具１２が、該支持バー５の一方の端部側８の上下に位置をずらして設けられている。この場合、該前のロック具１１に通される前の昇降コード１９の複数本と、該後のロック具１２に通される後の昇降コード２０の複数本は、図２２に示すように、上下２段で、支持バー５の長さ方向に略水平に延長した状態となされている。そして、複数本の前の昇降コード１９がまとまった状態で前のロック具１１のコードガイド部２１ａに挿通されると共に、複数本の後の昇降コード２０がまとまった状態で後のロック具１２のコードガイド部２１ｂに挿通されている。そして、該前の昇降コード１９が、前記前のカーテン９の上端側に設けられた、例えばハトメ３７を用いて構成された挿通部３９に、該前のカーテン９の後側から前側に向けて挿通せしめられ、該前のカーテン９の前面５３側で垂れた状態とされている。本実施例においては、該挿通部３９の中心が、カーテンの側縁４０に近接して、例えば、カーテンの側縁４０から内方に１０ｍｍ入って位置している。そして前記と同様にして、該垂れた状態の昇降コード１９の下端に、摘み片５６を介して操作コード５７が接続されており、該操作コード５７の下端が、前記と同様にして、前記挿通部３９の略真下で、前記前のカーテン９の下縁部６０に取り付けられている。
【００４８】
(4) 図２４は、前のカーテン９に設けられた前記挿通部３９の他の態様を示すものであり、縦長のスリット８７の縁部分８９をかがり縫いすることにより、ボタンホール状に形成されている。前のロック具１１を通った昇降コード１９が、該挿通部３９に、その後側から前側に向けて挿通せしめられ、前のカーテン９の前面５３側で垂れた状態とされる。
【００４９】
(5) 前記挿通部３９を、最上段のひだ状折り返し部１３ａの前の折り返し面部４３の、該ひだ状折り返し部１３ａの下端４５よりも上側に位置させて設ける場合、該挿通部３９を、図２５に示すように、該ひだ状折り返し部１３ａの下端４５と上端４４の間に位置させて設けることもある。
【００５０】
(6) 前のカーテン９に設けられる挿通部３９は、該挿通部３９を、前のカーテンの後側から前側に向けて挿通した昇降コードを昇降操作することによって該前のカーテンにひだ状折り返し部を形成できる限り、前のカーテン９の上端寄り（上端から下方に１０ｃｍ程度までの部分）に設けられるものには限られず、その下側に位置させて設けてもよい。
【００５１】
(7) 前のカーテン９に設けた挿通部３９に挿通せしめられて該前のカーテン９の前面５３側で垂れた昇降コード１９の下端に、摘み片５６を介して操作コード５７を接続する場合、図２６に示すように、該操作コード５７の下端５９を、前のカーテン９の下縁部６０の端部９０に取り付けることもある。
【００５２】
(8) 前の昇降コード１９に前記操作コード５７が接続されないこともある。
【００５３】
(9) 前のカーテン９の後面側で、その幅方向に所要間隔を置いて垂れた状態で設けられる前の昇降コード１９の本数は、該前のカーテン９の幅寸法に応じて、最低２本で４本以上に設定されることもある。又、後のカーテン１０の後面側で、その幅方向に所要間隔を置いて垂れた状態で設けられる後の昇降コード２０の本数は、該後のカーテン１０の幅寸法に応じて、最低２本で４本以上に設定されることもある。
【００５４】
(10)本発明において、昇降コードの下端側を前後のカーテンの上下方向の所要部位に固定状態とするとは、カーテンの下端側や中間の所要部位に固定状態とすることを意味する。そして下端側に固定状態とするとは、カーテンの下端寄りの部位に固定状態とすることを意味し、カーテンの最下端乃至その近傍部位に固定状態とするものには限られない。カーテンの最下端から稍上側に固定状態とする態様の一つとしては、カーテンが、上下幅が５〜２０ｃｍ程度に形成されたフリル状の裾装飾片を有する場合において、該裾装飾片の上側に位置させて固定状態とする態様を挙げることができる。
【図面の簡単な説明】
【００５５】
【図１】本発明に係る二重昇降カーテン装置を前側から見た斜視図である。
【図２】その後側から見た斜視図である。
【図３】その側面図である。
【図４】そのロック具側の拡大斜視図である。
【図５】前後のカーテンの引き上げ状態を示す斜視図である。
【図６】ロック具の構成を説明する断面図である。
【図７】本発明に係る二重昇降カーテン装置のロック具側の部分正面図である。
【図８】そのロック具側の部分斜視図である。
【図９】前のカーテンを最大限に引き上げた状態を示す側面図である。
【図１０】前のカーテンの上側部分における昇降コードの配置状態を示す説明図である。
【図１１】前のカーテンの下側部分における昇降コードの配置状態を示す説明図である。
【図１２】後のカーテンにおける昇降コードの配置状態を示す説明図である。
【図１３】前のカーテンに設ける挿通部を、最上段のひだ状折り返し部の前の折り返し面部の、該ひだ状折り返し部の下端よりも下側に設けた場合の問題点を説明する斜視図である。
【図１４】本発明に係る二重昇降カーテン装置の他の実施例を示す斜視図である。
【図１５】その部分拡大図である。
【図１６】本発明に係る二重昇降カーテン装置のその他の実施例を示す斜視図である。
【図１７】その部分拡大図である。
【図１８】前後のロック具を、前後且つ左右に位置をずらして配置した状態を示す斜視図である。
【図１９】その配置状態によって構成された二重昇降カーテン装置を示す部分斜視図である。
【図２０】前後のロック具を、左右に位置をずらして配置した状態を示す斜視図である。
【図２１】その配置状態によって構成された二重昇降カーテン装置を示す部分正面図である。
【図２２】前後のロック具を、上下に位置をずらして配置した状態を示す斜視図である。
【図２３】その配置状態によって構成された二重昇降カーテン装置を示す部分正面図である。
【図２４】挿通部の他の態様を示す斜視図である。
【図２５】本発明に係る二重昇降カーテン装置のその他の実施例を示す斜視図である。
【図２６】操作コードの下端を前のカーテンの下縁部の端部に取り付けてなる二重昇降カーテン装置を示す斜視図である。
【図２７】従来の二重昇降カーテン装置の一例を示す部分斜視図である。
【図２８】そのロック具の構成を説明する断面図である。
【図２９】従来の二重昇降カーテン装置の他の例を示す背面図である。
【符号の説明】
【００５６】
１  二重昇降カーテン装置
５  支持バー
９  前のカーテン
１０  後のカーテン
１１  前のロック具
１２  後のロック具
１３  ひだ状折り返し部
１９  昇降コード
３９  挿通部
４３  前の折り返し面部
４７  コード挿通部
５６  摘み片
５７  操作コード
６７  コード挿通部
７２  摘み片
７３  操作コード
７９  欠切部
【図１】
2007185219.tif 000003
【図２】
2007185219.tif 000004
【図３】
2007185219.tif 000005
【図４】
2007185219.tif 000006
【図５】
2007185219.tif 000007
【図６】
2007185219.tif 000008
【図７】
2007185219.tif 000009
【図８】
2007185219.tif 000010
【図９】
2007185219.tif 000011
【図１０】
2007185219.tif 000012
【図１１】
2007185219.tif 000013
【図１２】
2007185219.tif 000014
【図１３】
2007185219.tif 000015
【図１４】
2007185219.tif 000016
【図１５】
2007185219.tif 000017
【図１６】
2007185219.tif 000018
【図１７】
2007185219.tif 000019
【図１８】
2007185219.tif 000020
【図１９】
2007185219.tif 000021
【図２０】
2007185219.tif 000022
【図２１】
2007185219.tif 000023
【図２２】
2007185219.tif 000024
【図２３】
2007185219.tif 000025
【図２４】
2007185219.tif 000026
【図２５】
2007185219.tif 000027
【図２６】
2007185219.tif 000028
【図２７】
2007185219.tif 000029
【図２８】
2007185219.tif 000030
【図２９】
2007185219.tif 000031